(57)【要約】【課題】  一方向へ捻じれ易くする。【解決手段】  径方向に積層された複数のプリプレグを有するゴルフシャフト１において、前記プリプレグには、軸方向に対し繊維方向が傾斜するバイアスプリプレグと、前記バイアスプリプレグとは繊維方向が逆方向に傾斜する逆バイアスプリプレグとが含まれ、前記バイアスプリプレグの繊維方向の傾斜角度と前記逆バイアスプリプレグの繊維方向の傾斜角度に差を設けることで、時計方向に捩じった場合のトルクと、反時計方向に捩じった場合のトルクとを異ならせている。【選択図】  図２
2019042103.tif 000002
【特許請求の範囲】
【請求項１】
径方向に積層された複数のプリプレグを有するゴルフシャフトにおいて、
前記プリプレグには、軸方向に対し繊維方向が傾斜するバイアスプリプレグと、前記バイアスプリプレグとは繊維方向が逆方向に傾斜する逆バイアスプリプレグとが含まれ、
前記バイアスプリプレグの繊維方向の傾斜角度と前記逆バイアスプリプレグの繊維方向の傾斜角度に差を設けることで、時計方向に捩じった場合のトルクと、反時計方向に捩じった場合のトルクとを異ならせていることを特徴とするゴルフクラブ用シャフト。
【請求項２】
前記バイアスプリプレグと前記逆バイアスプリプレグのうち、その一方のプリプレグの繊維方向の傾斜角度を４５度よりも小さくし、他方のプリプレグの繊維方向の傾斜角度を、前記一方のプリプレグの繊維方向の傾斜角度よりも４５度に近くしたことを特徴とする請求項１記載のゴルフクラブ用シャフト。
【請求項３】
前記バイアスプリプレグと前記逆バイアスプリプレグのうち、前記傾斜角度が４５度に近い方の一方のプリプレグの弾性率を、他方のプリプレグの弾性率よりも高くしたことを特徴とする請求項１又は２記載のゴルフクラブ用シャフト。
【請求項４】
前記バイアスプリプレグと前記逆バイアスプリプレグのうち、前記傾斜角度が４５度に近い方の一方のプリプレグの樹脂含有率を、他方のプリプレグの樹脂含有率よりも低くしたことを特徴とする請求項１乃至３何れか１項記載のゴルフクラブ用シャフト。
【請求項５】
前記バイアスプリプレグと前記逆バイアスプリプレグのうち、前記傾斜角度が４５度に近い方の一方のプリプレグの繊維量を、他方のプリプレグの繊維量よりも多くしたことを特徴とする請求項１乃至４何れか１項記載のゴルフクラブ用シャフト。
【請求項６】
前記バイアスプリプレグと前記逆バイアスプリプレグのうち、前記傾斜角度が４５度に近い方の一方のプリプレグのプライ数を、他方のプリプレグのプライ数よりも多くしたことを特徴とする請求項１乃至５何れか１項記載のゴルフクラブ用シャフト。
【発明の詳細な説明】
【技術分野】
【０００１】
本発明は、ゴルフクラブに用いられるシャフトに関するものである。
【背景技術】
【０００２】
従来、この種の発明には、例えば特許文献１に記載されるように、シャフトの外周に、シャフトの軸線に対し繊維方向が傾斜した一方のバイアスシート（プリプレグ）と、このバイアスシートに対し繊維方向が逆傾斜した他方のバイアスシートと、シャフトの軸線に対し繊維方向を沿わせた引き揃えシートとを順次に積層し、加熱して一体化したゴルフクラブ用シャフトがある。
ところで、このような従来のゴルフクラブ用シャフトは、公益財団法人日本ゴルフ協会（JGA：JAPAN GOLF ASSOCIATION）等が定めるゴルフ規則により、「両方向とも同量にねじれること。」が規定されている。
このため、従来のゴルフクラブ用シャフトでは、シャフトを時計方向に捩じった場合のトルク値と、同シャフトを反時計方向に捩じった場合のトルク値とが、略同等になるように設計されていた。
【先行技術文献】
【特許文献】
【０００３】
【特許文献１】特開平１１−１７８９６３号公報
【発明の概要】
【発明が解決しようとする課題】
【０００４】
ところで、習熟度が高くないゴルフプレーヤーが、前記従来のゴルフ用シャフトを具備したゴルフクラブを用いた場合、インパクトの際のボールに対するヘッド位置や、インパクト前後のヘッドの軌跡等、スイング時における個々の癖等に起因して、打球が意図した方向へ飛ばずにスライス又はフックしてしまい、本来のゴルフプレーの楽しさを半減させてしまう場合がある。
また、習熟度の高いゴルフプレーヤーでは、スイングしたときのヘッドスピードが比較的速く、フックぎみ（ドローと称する場合がある）のボールを打った場合には飛距離が出すぎてＯＢになってしまう傾向があること等から、意図的にスライスぎみ（フェードと称する場合がある）のボールを打って打球方向や飛距離を適宜にコントロールする場合がある。
したがって、ゴルフ規則に従う必要のないプライベートなゴルフプレーにおいては、スライス又はフックを抑制してくれるゴルフクラブや、意図的にスライスぎみのボールを打ち易いゴルフクラブ等が求められる。
【課題を解決するための手段】
【０００５】
このような課題に鑑みて、本発明は、以下の構成を具備するものである。
径方向に積層された複数のプリプレグを有するゴルフシャフトにおいて、前記プリプレグには、軸方向に対し繊維方向が傾斜するバイアスプリプレグと、前記バイアスプリプレグとは繊維方向が逆方向に傾斜する逆バイアスプリプレグとが含まれ、前記バイアスプリプレグの繊維方向の傾斜角度と前記逆バイアスプリプレグの繊維方向の傾斜角度に差を設けることで、時計方向に捩じった場合のトルクと、反時計方向に捩じった場合のトルクとを異ならせていることを特徴とするゴルフクラブ用シャフト。
【発明の効果】
【０００６】
本発明は、以上説明したように構成されているので、一方向へ捻じれ易いゴルフクラブ用シャフトを形成することができる。
【図面の簡単な説明】
【０００７】
【図１】本発明に係るゴルフクラブ用シャフトを具備したゴルフクラブの一例を示す側面図である。
【図２】図１のゴルフクラブ用シャフトにおいて、マンドレルに巻き付けられる前のプリプレグを示す展開図である。
【図３】プリプレグの巻き付け構造を、グリップ側から視て示す模式図である。
【図４】図１のゴルフクラブ用シャフトにおいて、バイアスプリプレグと逆バイアスプリプレグの構造比較表である。
【図５】本発明に係るゴルフクラブ用シャフトを具備したゴルフクラブの他例を示す側面図である。
【図６】図５のゴルフクラブ用シャフトにおいて、マンドレルに巻き付けられる前のプリプレグを示す展開図である。
【図７】図５のゴルフクラブ用シャフトにおいて、バイアスプリプレグと逆バイアスプリプレグの構造比較表である。
【発明を実施するための形態】
【０００８】
本実施の形態では、以下の特徴を開示している。
第１の特徴は、径方向に積層された複数のプリプレグを有するゴルフシャフトにおいて、前記プリプレグには、軸方向に対し繊維方向が傾斜するバイアスプリプレグと、前記バイアスプリプレグとは繊維方向が逆方向に傾斜する逆バイアスプリプレグとが含まれ、前記バイアスプリプレグの繊維方向の傾斜角度と前記逆バイアスプリプレグの繊維方向の傾斜角度に差を設けることで、時計方向に捩じった場合のトルクと、反時計方向に捩じった場合のトルクとを異ならせている。
この構成によれば、バイアスプリプレグの繊維方向の傾斜角度と逆バイアスプリプレグの繊維方向の傾斜角度との差により、シャフトを一方向へ捩じった場合のねじり剛性と、同シャフトを逆方向へ捩じった場合のねじり剛性に差が生じ、ねじり剛性が小さい方の捩じり方向へ捩じれ易くなる。このため、スイング中に、先端側が何れか一方へ捩じれ易くなり、打球がフック又はスライスし易くなる。
【０００９】
第２の特徴は、前記バイアスプリプレグと前記逆バイアスプリプレグのうち、その一方のプリプレグの繊維方向の傾斜角度を４５度よりも小さくし、他方のプリプレグの繊維方向の傾斜角度を、前記一方のプリプレグの繊維方向の傾斜角度よりも４５度に近くした（図４及び図７参照）。
【００１０】
第３の特徴は、前記バイアスプリプレグと前記逆バイアスプリプレグのうち、前記傾斜角度が４５度に近い方の一方のプリプレグの弾性率を、他方のプリプレグの弾性率よりも高くした（図４及び図７参照）。
【００１１】
第４の特徴は、前記バイアスプリプレグと前記逆バイアスプリプレグのうち、前記傾斜角度が４５度に近い方の一方のプリプレグの樹脂含有率を、他方のプリプレグの樹脂含有率よりも低くした（図４及び図７参照）。
【００１２】
第５の特徴は、前記バイアスプリプレグと前記逆バイアスプリプレグのうち、前記傾斜角度が４５度に近い方の一方のプリプレグの繊維量を、他方のプリプレグの繊維量よりも多くした（図４及び図７参照）。
【００１３】
第６の特徴は、前記バイアスプリプレグと前記逆バイアスプリプレグのうち、前記傾斜角度が４５度に近い方の一方のプリプレグのプライ数を、他方のプリプレグのプライ数よりも多くした（図４及び図７参照）。
【００１４】
＜第１の実施態様＞
次に、上記特徴を有する具体的な実施態様について、図面に基づいて詳細に説明する。
図１は、本発明に係るゴルフクラブ用シャフトを備えたゴルフクラブの一例を示す。
このゴルフクラブＡは、ゴルフクラブ用シャフト１の前端側にクラブヘッド２を固定し、後端側にはグリップ３を固定している。ゴルフクラブ用シャフト１の前後端部側は、それぞれ、クラブヘッド２内とグリップ３内に適量入り込んでいる。
【００１５】
ゴルフクラブ用シャフト１は、マンドレルＭの外周にシート状のプリプレグを複数巻き付けて積層し、加熱硬化後にマンドレルＭを引き抜いて、前記プリプレグをパイプ状に成形するシートワインディング成形によって製造される。このゴルフクラブ用シャフト１は、先端側を後端側に対し時計方向に捩じった場合のトルクと、反時計方向に捩じった場合のトルクとが異なる。
【００１６】
前記プリプレグは、例えば、カーボンファイバー等の多数の繊維からなるシートにエポキシ樹脂を含浸させたものである。
前記プリプレグには、ゴルフクラブ用シャフト１の前端側に部分的に設けられた短尺状の補強プリプレグＴＦ１〜ＴＦ４と、ゴルフクラブ用シャフト１の略全長にわたって連続する長尺状のメインプリプレグＦＬ１〜ＦＬ５とが含まれ、これらの全長が、例えば約１２００ｍｍ程度に設定されている。
【００１７】
補強プリプレグＴＦ１〜ＴＦ４は、クラブヘッド２の装着部分を補強するために、軸方向（言い換えれば、ゴルフクラブ用シャフト１の中心軸の延設方向）の前端側に部分的に巻回されている（図２〜図３参照）。
【００１８】
補強プリプレグＴＦ１，ＴＦ２は、図２に示すように、予め周方向へずれた状態で２枚重ね合わせられて一体化されている。
補強プリプレグＴＦ１，ＴＦ２の各々は、その繊維方向が、軸方向へ向いている。そして、各補強プリプレグＴＦ１，ＴＦ２は、展開図上の輪郭が四角形状であり、軸方向に短尺に形成される。
これら補強プリプレグＴＦ１，ＴＦ２は、マンドレルＭの外周に最初に巻かれる。図３の例示によれば、一方の補強プリプレグＴＦ１は、周方向の６時の位置から反時計方向に適量巻かれている。他方の補強プリプレグＴＦ２は、周方向の３時の位置から反時計方向に適量（図示例によればＴＦ１と同量）巻かれている。
【００１９】
補強プリプレグＴＦ３，ＴＦ４は、図２に示すように、予め周方向へずれた状態で２枚重ね合わせられて一体化されている。
補強プリプレグＴＦ３，４は、後述するメインプリプレグＦＬ５の前端側の外周に巻かれている。
補強プリプレグＴＦ３，ＴＦ４の各々は、展開図上の輪郭が三角形状であり、繊維方向を軸方向へ向けている（図２参照）。
図３の例示によれば、補強プリプレグＴＦ３は、周方向の１２時の位置から反時計方向に適量巻かれ、補強プリプレグＴＦ４は、周方向の３時の位置から反時計方向に適量（図示例によればＴＦ３と同量）巻かれている。
【００２０】
メインプリプレグＦＬ１は、前端に向かって徐々に幅が狭くなる略矩形状のシート材であり（図２参照）、その前端側に補強プリプレグＴＦ１，ＴＦ２を含むようにして軸方向の前端側から後端側にわたって長尺状に設けられる。
このメインプリプレグＦＬ１は、繊維方向が軸方向に対し傾斜したバイアスプリプレグとして機能する。この傾斜角度は、４５°よりも小さく設定される。
詳細に説明すれば、このメインプリプレグＦＬ１の繊維方向は、ゴルフクラブ用シャフト１を後端側（グリップ３側）から視て、各繊維が反時計方向へ旋回しながら前方へ向かうように傾斜しており、図２及び図４に示す展開図上において、中心軸に対する角度が約２５°である。すなわち、メインプリプレグＦＬ１（バイアスプリプレグ）は、図２及び図４に示す傾斜状の繊維を円筒状に巻いた状態で構成される。
図３の例示によれば、メインプリプレグＦＬ１は、周方向の１２時の位置から反時計方向へ適量（図示例によれば１周）巻かれている。
【００２１】
メインプリプレグＦＬ２は、メインプリプレグＦＬ１と同矩形状のシート材であり（図２参照）、メインプリプレグＦＬ１の後に巻かれている。
このメインプリプレグＦＬ２は、バイアスプリプレグＦＬ１とは繊維方向が逆方向に傾斜したバイアスプリプレグである。この傾斜角度（配向角）は、メインプリプレグＦＬ１（前記バイアスプリプレグ）の繊維方向の傾斜角度よりも４５度に近く設定される。
詳細に説明すれば、このメインプリプレグＦＬ２の繊維方向は、ゴルフクラブ用シャフト１を後端（グリップ３側）から視て、各繊維が時計方向へ旋回しながら前方へ向かうように傾斜しており、図２及び図４に示す展開図上において、中心軸に対する角度が約４５°である。
メインプリプレグＦＬ２は、図３の例示によれば、周方向の９時の位置から反時計方向へ、メインプリプレグＦＬ１よりも多い量（図示例によれば２周）巻かれている。なお、他例としては、このメインプリプレグＦＬ２の巻量を、メインプリプレグＦＬ１と略同量にすることも可能である。
【００２２】
メインプリプレグＦＬ１（バイアスプリプレグ）と．メインプリプレグＦＬ２（逆バイアスプリプレグ）は、弾性率、配向角、樹脂含有率、繊維量、プライ数（層数）等が、図４の表に示す関係になっている。
【００２３】
すなわち、弾性率は、メインプリプレグＦＬ１が、メインプリプレグＦＬ２よりも低い。この弾性率は、後述する配向角や、樹脂含有率、繊維量、プライ数、プリプレグの厚み、その他の材料特性等によって定まる値である。
この弾性率が比較的小さいと、剛性が小さくなる。このため、メインプリプレグＦＬ１の方がメインプリプレグＦＬ２よりも捻じれ易い傾向になる。
本実施形態の一例によれば、メインプリプレグＦＬ１の弾性率は、１００〜３００GPaの範囲内に設定され、メインプリプレグＦＬ２の弾性率は、２００〜５００GPaの範囲内に設定される。
【００２４】
配向角は、バイアスプリプレグであるメインプリプレグＦＬ１が、逆バイアスプリプレグであるメインプリプレグＦＬ２よりも小さい。
この配向角が４５°である場合に、ねじり剛性が最大値になり、配向角が４５°よりも小さいほどねじり剛性が小さくなる。また、配向角が４５°よりも大きい場合も、大きくなるほどねじり剛性が小さくなる。
したがって、配向角が４５°よりも小さいメインプリプレグＦＬ１は、配向角が４５°のメインプリプレグＦＬ２よりもねじれ剛性が小さくなり、捻じれ易い傾向になる。
本実施形態の一例によれば、メインプリプレグＦＬ１の配向角は、１５〜３５°範囲内の範囲内（特に図示例では２５°）に設定され、メインプリプレグＦＬ２の配向角は、４０〜５０°範囲内（特に図示例では４５°）に設定される。
【００２５】
樹脂含有率は、メインプリプレグＦＬ１が、メインプリプレグＦＬ２よりも高い。このことにより、メインプリプレグＦＬ１は、メインプリプレグＦＬ１よりも捻じれ易い傾向になる。
本実施形態の一例によれば、メインプリプレグＦＬ１の樹脂含有率は、２８〜４０％の範囲内に設定され、メインプリプレグＦＬ２の樹脂含有率は、１５〜２５％の範囲内に設定される。
【００２６】
繊維量は、メインプリプレグＦＬ１が、メインプリプレグＦＬ２よりも少ない。このことにより、メインプリプレグＦＬ１は、メインプリプレグＦＬ１よりも捻じれ易い傾向になる。
本実施形態の一例によれば、メインプリプレグＦＬ１の繊維量は、２０〜８０g/m2の範囲内に設定され、メインプリプレグＦＬ２の繊維量は、６０〜１５０g/m2の範囲内に設定される。
【００２７】
プライ数（層数）は、メインプリプレグＦＬ１が、メインプリプレグＦＬ２よりも少ない。このことにより、メインプリプレグＦＬ１は、メインプリプレグＦＬ１よりも捻じれ易い傾向になる。
本実施形態の一例によれば、メインプリプレグＦＬ１のプライ数は、１.０〜４.０の範囲内に設定され、メインプリプレグＦＬ２のプライ数は、２.０〜６.０の範囲内に設定される。
【００２８】
すなわち、弾性率、配向角、樹脂含有率、繊維量、プライ数は、何れも、メインプリプレグＦＬ１がメインプリプレグＦＬ１よりも捻じれ易い傾向になるように設定される。
そして、これら繊維構造により、メインプリプレグＦＬ１とメインプリプレグＦＬ２の全体としては、シャフト１の後端側から視て、前端側が反時計方向へ捻じれ易くなる。
【００２９】
また、図２に示すように、メインプリプレグＦＬ３は、メインプリプレグＦＬ１，ＦＬ２と同じ輪郭のシート材であり、メインプリプレグＦＬ２よりも後にＦＬ２の外周に巻かれている。このメインプリプレグＦＬ３は、繊維方向を軸方向へ向けている。
図３の例示によれば、メインプリプレグＦＬ３は、周方向の９時の位置から反時計方向へ適量巻かれている。
【００３０】
また、メインプリプレグＦＬ４，ＦＬ５は、予め２枚重ね合わせられて一体化され、メインプリプレグＦＬ３の後にメインプリプレグＦＬ３の外周に巻かれている。
これらメインプリプレグＦＬ４，ＦＬ５の各々は、上述したメインプリプレグＦＬ１，ＦＬ２，ＦＬ３と同じ輪郭のシート材である。
図３の例示によれば、メインプリプレグＦＬ４，ＦＬ５は、周方向の６時の位置から反時計方向へ適量巻かれている。
【００３１】
一方のメインプリプレグＦＬ４は、繊維方向が軸方向に対し略直交しており（図２参照）、ゴルフクラブ用シャフト１の周方向の強度を向上する。
他方のメインプリプレグＦＬ５は、メインプリプレグＦＬ３と同様に、繊維方向が軸方向へ向いている（図２参照）。
【００３２】
次に、上記構成のゴルフクラブ用シャフト１を用いたゴルフクラブＡ（図１参照）について、その特徴的な作用効果を詳細に説明する。
ゴルフクラブＡによれば、メインプリプレグＦＬ１（バイアスプリプレグ）の繊維方向の傾斜角度（配向角）とメインプリプレグＦＬ２（逆バイアスプリプレグ）の繊維方向の傾斜角度（配向角）との差により、ゴルフクラブ用シャフト１を一方向へ捩じった場合のねじり剛性と、同シャフト１を逆方向へ捩じった場合のねじり剛性に差が生じる。
このため、ゴルフクラブ用シャフト１は、その先端側（クラブヘッド２側）を、ねじり剛性が小さい方のメインプリプレグＦＬ１の前端側の傾斜回転方向（本実施態様によればグリップ側から視て反時計方向）へ捩じった場合（図１の２点鎖線参照）のトルクが、逆方向へ捩じった場合のトルクよりも小さくなり、前記傾斜回転方向へ捩じれ易くなる。このため、スイング中に、クラブヘッド２側が反時計方向へ捩じれ易くなり、右利きゴルファーの場合、打球がフックし易くなる。
特に、上記実施態様によれば、弾性率、配向角、樹脂含有率、繊維量、プライ数等を適宜に調整しているため、上記作用効果を顕著に発揮することができる。
【００３３】
＜第２の実施態様＞
次に、本発明に係る第２の実施態様について説明する。
この第２の実施態様は、上述した第１の実施態様に対し、一部の構成を変更したものであるため、その変更部分について詳述し、略同一の構成については適宜詳細説明を省略する。
【００３４】
図５は、本発明に係るゴルフクラブ用シャフトを備えたゴルフクラブの一例を示す。
このゴルフクラブＢは、上記ゴルフクラブＡに対し、ゴルフクラブ用シャフト１をゴルフクラブ用シャフト１’に置換したものである。
また、ゴルフクラブ用シャフト１’は、図６に示すように、上記ゴルフクラブ用シャフト１に対し、メインプリプレグＦＬ１，ＦＬ２，ＦＬ４を、それぞれ、メインプリプレグＦＬ１’，ＦＬ２’，ＦＬ４’に置換したものである。
【００３５】
このゴルフクラブ用シャフト１’におけるプリプレグＴＦ１，ＴＦ２，ＦＬ１’，ＦＬ２’，ＦＬ３，ＦＬ４’，ＦＬ５，ＴＦ３，ＴＦ４の巻き付け構造は、上記ゴルフクラブ用シャフト１と同様（図３）にすればよいが、適宜に異ならせることも可能である。
【００３６】
メインプリプレグＦＬ１’は、上記メインプリプレグＦＬ１と略同じ輪郭のシート材であり（図６参照）、その前端側に補強プリプレグＴＦ１，ＴＦ２を含むようにして軸方向の前端側から後端側にわたって長尺状に設けられる。
このメインプリプレグＦＬ１’は、繊維方向が軸方向に対し傾斜したバイアスプリプレグとして機能する。この傾斜角度は、４５°近くに設定される。
詳細に説明すれば、このメインプリプレグＦＬ１’の繊維方向は、ゴルフクラブ用シャフト１を後端（グリップ３側）から視て、各繊維が反時計方向へ旋回しながら前方へ向かうように傾斜しており、図６に示す展開図上において、中心軸に対する角度が約４５°である。
【００３７】
メインプリプレグＦＬ２’は、上記メインプリプレグＦＬ２と略同形状のシート材であり（図６参照）、メインプリプレグＦＬ１’の後に巻かれている。
このメインプリプレグＦＬ２’は、バイアスプリプレグＦＬ１’とは繊維方向が逆方向に傾斜したバイアスプリプレグである。この傾斜角度は、４５°よりも小さく設定される。
詳細に説明すれば、このメインプリプレグＦＬ２’の繊維方向は、ゴルフクラブ用シャフト１を後端（グリップ３側）から視て、各繊維が時計方向へ旋回しながら前方へ向かうように傾斜しており、図６及び図７に示す展開図上において、中心軸に対する角度が約２５°である。
【００３８】
メインプリプレグＦＬ１’（バイアスプリプレグ）と．メインプリプレグＦＬ２’（逆バイアスプリプレグ）は、弾性率、配向角、樹脂含有率、繊維量、プライ数（層数）等の大小関係（図７参照）や、これらの具体的数値範囲が、上述したメインプリプレグＦＬ１，ＦＬ２（図４参照）とは逆になっている。
したがって、メインプリプレグＦＬ１’とメインプリプレグＦＬ２’の全体としては、シャフト１の後端側から視て、前端側が時計方向へ捻じれ易くなる（図５参照）。
【００３９】
メインプリプレグＦＬ４’は、メインプリプレグＦＬ５と同構造であり、繊維方向が軸方向へ向いている。このメインプリプレグＦＬ４’は、メインプリプレグＦＬ５に対し重ね合わせられ一体化されている。
なお、上記ゴルフクラブ用シャフト１のメインプリプレグＦＬ４のように、繊維方向が軸方向に対し略直交するプリプレグは、周方向の強度が比較的高いので薄肉軽量のシャフトに好適であるのに対し、ゴルフクラブ用シャフト１’のメインプリプレグＦＬ４’のように、繊維方向が軸方向を向いているプリプレグは、比較的肉厚にして高強度にしたシャフトに好適である。
【００４０】
次に、上記構成のゴルフクラブ用シャフト１’を用いたゴルフクラブＢについて、その特徴的な作用効果を詳細に説明する。
ゴルフクラブＢによれば、メインプリプレグＦＬ１’（バイアスプリプレグ）の繊維方向の傾斜角度とメインプリプレグＦＬ２’（逆バイアスプリプレグ）の繊維方向の傾斜角度との差により、ゴルフクラブ用シャフト１’を一方向へ捩じった場合のねじり剛性と、同シャフト１’を逆方向へ捩じった場合のねじり剛性に差が生じる。
このため、ゴルフクラブ用シャフト１’は、その先端側（クラブヘッド２側）を、ねじり剛性が小さい方のメインプリプレグＦＬ２’の前端側の傾斜回転方向（本実施態様によればグリップ側から視て時計方向）へ捩じった場合のトルクが、逆方向へ捩じった場合のトルクよりも小さくなり、前記傾斜回転方向へ捩じれ易くなる。このため、スイング中に、クラブヘッド２側が時計方向へ捩じれ易くなり、右利きゴルファーの場合、打球がスライスし易くなる。
特に、上記実施態様では、弾性率、配向角、樹脂含有率、繊維量、プライ数等を適宜に調整しているため、上記作用効果を顕著に発揮することができる。
【００４１】
よって、上記実施態様によれば、スイングの癖等に起因して打球がスライス又はフックしてしまうのを抑制することができる上、意図的にスライスし易く製造することも容易であり、ひいては、ゴルフ規則に従う必要のないプライベートなゴルフプレーにおいて、習熟度の高くないゴルフプレーヤーが本来のゴルフプレーの楽しさを増大することができ、さらには、上級者の場合も、従来のゴルフ用シャフトでは得られない楽しみを得ることができる。
【００４２】
なお、上記実施態様は、弾性率、配向角、樹脂含有率、繊維量、プライ数等を特に好適な関係に設定しているが、他例としては、これらを上記実施態様とは異なる関係にすることも可能である。
【００４３】
また、各プリプレグの巻数は、図示例のものに限定されず、ゴルフクラブに求められる性能等に応じて、適宜変更が可能である。
【００４４】
本発明は上述した実施態様に限定されず、本発明の要旨を変更しない範囲で適宜変更可能である。
【符号の説明】
【００４５】
１，１’：ゴルフクラブ用シャフト
２：クラブヘッド
３：グリップ
Ａ，Ｂ：ゴルフクラブ
ＦＬ１，ＦＬ１’：メインプリプレグ（バイアスプリプレグ）
ＦＬ２，ＦＬ２’：メインプリプレグ（逆バイアスプリプレグ）
ＦＬ３〜ＦＬ５，ＦＬ４’：メインプリプレグ
Ｍ：マンドレル
ＴＦ１〜ＴＦ４：補強プリプレグ
【図１】
2019042103.tif 000003
【図２】
2019042103.tif 000004
【図３】
2019042103.tif 000005
【図４】
2019042103.tif 000006
【図５】
2019042103.tif 000007
【図６】
2019042103.tif 000008
【図７】
2019042103.tif 000009